(57)【要約】【課題】ブローバイガス流路の凍結を簡易な構成で早期に解凍することができるブローバイガス還流装置を提供する。【解決手段】機関本体２の入口部８から出口部９へと冷却水を流通させる冷却水流路３を備えた内燃機関１に適用され、機関本体２の燃焼室から漏れるブローバイガスを吸気通路に還流させるブローバイガス流路１２が設けられた内燃機関１のブローバイガス還流装置１１において、ブローバイガス流路１２は、出口部９の壁面における外面側の領域を経由するように配置されている。【選択図】図２
2009209871.tif 000002
【特許請求の範囲】
【請求項１】
機関本体の入口部から出口部へと冷却水を流通させる冷却水流路を備えた内燃機関に適用され、
前記機関本体の燃焼室から漏れるブローバイガスを吸気通路に還流させるブローバイガス流路が設けられた内燃機関のブローバイガス還流装置において、
前記ブローバイガス流路は、前記出口部の壁面における外面側の領域を経由するように配置されている内燃機関のブローバイガス還流装置。
【請求項２】
前記機関本体は、当該機関本体の気筒と熱伝達可能なように第１ウォータジャケット及び第２ウォータジャケットが形成されたシリンダブロックと、シリンダヘッドとを有し、
前記冷却水流路は、前記入口部から前記第１ウォータジャケット、前記シリンダヘッド、前記第２ウォータジャケット、前記出口部の順に前記冷却水が流通するように形成されている請求項１に記載の内燃機関のブローバイガス還流装置。
【請求項３】
前記出口部は、当該出口部の流路断面積が前記第２ウォータジャケットの流路断面積よりも拡大するように形成されている請求項１又は２に記載の内燃機関のブローバイガス還流装置。
【請求項４】
前記ブローバイガス流路には、当該ブローバイガス流路を流れる前記ブローバイガスの流量を調整する調整弁が設けられ、
前記調整弁は、前記領域に取付けられている請求項１〜３のいずれか一項に記載の内燃機関のブローバイガス還流装置。
【請求項５】
前記ブローバイガス流路には、当該ブローバイガス流路を流れる前記ブローバイガスの流量を調整する調整弁と、前記ブローバイガスから当該ブローバイガスのオイル成分を分離するオイルセパレータ本体とが設けられ、
前記オイルセパレータ本体は、少なくともその一部が前記第２ウォータジャケットの壁面と熱伝達可能な状態で一体に形成され、
前記調整弁は、前記オイルセパレータ本体に取付けられている請求項１〜３のいずれか一項に記載の内燃機関のブローバイガス還流装置。
【請求項６】
前記オイルセパレータ本体にはオイルセパレータカバーが設けられ、
前記調整弁は、前記オイルセパレータカバーに取付けられている請求項５に記載の内燃機関のブローバイガス還流装置。
【発明の詳細な説明】
【技術分野】
【０００１】
本発明は、機関本体で発生するブローバイガスを吸気通路に還流させるブローバイガス流路を備えた内燃機関のブローバイガス還流装置に関する。
【背景技術】
【０００２】
ブローバイガス還流装置を備えた内燃機関が寒冷地などで使用されると、ブローバイガスに含まれている水分がブローバイガス流路内で凍結して、ブローバイガス還流装置の機能が低下するおそれがある。ブローバイガス流路の凍結の対策として、内燃機関の機関本体とブローバイガス流路との間に熱伝達部材を設けて、熱伝達部材を介して機関本体の熱をブローバイガス流路に伝えた装置（特許文献１参照）、あるいは、ブローバイガス流路の外壁面を通過するように保温パイプを設けて、その保温パイプに内燃機関の冷却水を流通させることにより、冷却水の熱をブローバイガス流路に伝えた装置も知られている（例えば、特許文献２参照）。
【０００３】
【特許文献１】特開２００３−２１４１３１号公報
【特許文献２】特開平７−１６６８３５号公報
【発明の開示】
【発明が解決しようとする課題】
【０００４】
しかしながら、上述した装置では、熱伝達部材や保温パイプなどの熱伝達手段を追加する必要があるため、装置の構成が複雑かつ大型化する。
【０００５】
そこで、本発明は、ブローバイガス流路の凍結を簡易な構成で早期に解凍することができるブローバイガス還流装置を提供することを目的とする。
【課題を解決するための手段】
【０００６】
本発明の内燃機関のブローバイガス還流装置は、機関本体の入口部から出口部へと冷却水を流通させる冷却水流路を備えた内燃機関に適用され、前記機関本体の燃焼室から漏れるブローバイガスを吸気通路に還流させるブローバイガス流路が設けられた内燃機関のブローバイガス還流装置において、前記ブローバイガス流路は、前記出口部の壁面における外面側の領域を経由するように配置されていることにより上述した課題を解決する（請求項１）。
【０００７】
本発明のブローバイガス還流装置によれば、機関本体の内部にて暖められた冷却水の熱が出口部の壁面を介してブローバイガス流路に伝達されるので、新たに熱伝達手段を設ける必要がない。よって、ブローバイガス流路の凍結を簡易な構成で早期に解凍することができる。
【０００８】
本発明の一形態において、前記機関本体は、当該機関本体の気筒と熱伝達可能なように第１ウォータジャケット及び第２ウォータジャケットが形成されたシリンダブロックと、シリンダヘッドとを有し、前記冷却水流路は、前記入口部から前記第１ウォータジャケット、前記シリンダヘッド、前記第２ウォータジャケット、前記出口部の順に前記冷却水が流通するように形成されてもよい（請求項２）。この形態によれば、冷却水が出口部に達するまでに効率的にその温度を高めることができる。
【０００９】
上記の形態において、前記出口部は、当該出口部の流路断面積が前記第２ウォータジャケットの流路断面積よりも拡大するように形成されてもよい（請求項３）。この形態によれば、出口部の流路断面積が第２ウォータジャケットの流路断面積よりも拡大するように出口部を形成することにより、流路断面積を拡大させない場合と比較して、出口部の温度低下を抑制させることができる。これにより、ブローバイガス流路を効率的に解凍することができる。
【００１０】
本発明の一形態において、前記ブローバイガス流路には、当該ブローバイガス流路を流れる前記ブローバイガスの流量を調整する調整弁が設けられ、前記調整弁は、前記領域に取付けられてもよい（請求項４）。この形態によれば、調整弁の凍結も早期に解凍することができる。
【００１１】
本形態の一形態において、前記ブローバイガス流路には、当該ブローバイガス流路を流れる前記ブローバイガスの流量を調整する調整弁と、前記ブローバイガスから当該ブローバイガスのオイル成分を分離するオイルセパレータ本体とが設けられ、前記オイルセパレータ本体は、少なくともその一部が前記第２ウォータジャケットの壁面と熱伝達可能な状態で一体に形成され、前記調整弁は、前記オイルセパレータ本体に取付けられてもよい（請求項５）。この形態によれば、第２ウォータジャケット内の冷却水の熱が第２ウォータジャケットの壁面及びオイルセパレータを介して調整弁に伝達される。これにより、調整弁とブローバイガス流路の両方を効率的に解凍することができる。この場合、前記オイルセパレータ本体にはオイルセパレータカバーが設けられており、前記調整弁は、前記オイルセパレータカバーに取付けられてもよい（請求項６）。
【発明の効果】
【００１２】
以上説明したように、本発明によれば、機関本体の内部にて暖められた冷却水の熱が出口部の壁面を介してブローバイガス流路に伝達されるので、新たに熱伝達手段を設ける必要がない。よって、ブローバイガス流路の凍結を簡易な構成で早期に解凍することができる。
【発明を実施するための最良の形態】
【００１３】
図１は、本発明の一形態に係るブローバイガス還流装置が適用される内燃機関（以下、エンジンと称することがある。）の外観図を示している。図２は図１の上面図、図３は図１の正面図をそれぞれ示している。エンジン１は、機関本体２と、機関本体２に冷却水を流通させる冷却水流路３とを備えている。冷却水流路３の冷却水は例えば不図示のウォータポンプにより流通させることができる。機関本体２は、機関本体２の長手方向に並ぶ複数（図では４つ）の気筒４が形成されたシリンダブロック５と、各気筒４の開口部４ａをそれぞれ塞ぐ燃焼室が形成されたシリンダヘッド（不図示）とを備えている。シリンダブロック５はアルミニウム系材料で形成されている。
【００１４】
図２に示すように、シリンダブロック５は、気筒４の側面に沿ってシリンダブロック５の長手方向に延びた第１ウォータジャケット６及び第２ウォータジャケット７と、機関本体２に冷却水を導くための入口部８と、機関本体２から冷却水が排出される出口部９とを有している。これらウォータジャケット６、７は、気筒４を挟んで対向するようにそれぞれ別体に形成されている。入口部８は、第１ウォータジャケット６の一端部と一体に形成されている。出口部９は、シリンダブロック５における入口部８と対角する位置に第２ウォータジャケット７の一端部と一体に形成されている。シリンダブロック５の側面には、出口部９から排出される冷却水を機関本体２の外部に導くためのウォータアウトレット１０が取付けられている。冷却水流路３は、入口部８から第１ウォータジャケット６、シリンダヘッド、第２ウォータジャケット７、出口部９、ウォータアウトレット１０の順に冷却水が流通するように形成されている。出口部９は、その流路断面積が第２ウォータジャケット７の流路断面積よりも拡大するように形成されている。この様な内燃機関１に対してブローバイガス還流装置１１が組み込まれている。
【００１５】
ブローバイガス還流装置１１は、燃焼室から漏れるブローバイガスを不図示の吸気通路に還流させるブローバイガス流路１２と、ブローバイガス流路１２を流れるブローバイガスの流量を調整する調整弁１３と、ブローバイガスからブローバイガスのオイル成分を分離するオイルセパレータ１４とを備えている。オイルセパレータ１４は、第２ウォータジャケット７の壁面と熱伝達可能な状態で一体に形成されたオイルセパレータ本体１４ａと、そのオイルセパレータ本体１４ａの開口面を固定部材１５にて塞ぐオイルセパレータカバー１４ｂとを有している。オイルセパレータ本体１４ａの底部には、オイルセパレータ１４の内部にブローバイガスを導くための複数（図では２つ）のブローバイガス導入口１６が形成されている。ブローバイガス流路１２は、出口部９の壁面における外面側の領域を経由するように配置されている。調整弁１３は、オイルセパレータカバー１４ｂに取付けられている。
【００１６】
上述したように構成されたブローバイガス還流装置１１においては、内燃機関１が始動すると、ウォータポンプにて入口部８から第１ウォータジャケット６内に冷却水が導かれる。第１ウォータジャケット６に達した冷却水は、気筒４と第１ウォータジャケット６との間の壁面を介して伝わる気筒４の熱を受けつつ入口部８とは反対側の端部を経てシリンダヘッドに達する。シリンダヘッドに達した冷却水は燃焼室の熱を受けつつ第２ウォータジャケット７における出口部９とは反対側の端部に達する。第２ウォータジャケット７の端部に達した冷却水は、気筒４と第２ウォータジャケット７との間の壁面を介して伝わる気筒４の熱を受けつつ出口部９に達する。そして、出口部９に達した冷却水の熱が出口部９の壁面を介してブローバイガス流路１２に達する。これにより、ブローバイガス流路１２の凍結が解凍される。
【００１７】
本形態の内燃機関１では、入口部８から第１ウォータジャケット６、シリンダヘッド、第２ウォータジャケット７、出口部９の順に冷却水が流通するように冷却水流路３を形成しているので、冷却水が出口部９に達するまでに効率的にその温度を高めることができる。また、出口部９の流路断面積を第２ウォータジャケット７の流路断面積よりも拡大するように形成しているので、出口部９の流路断面積を拡大させない場合と比較して出口部９の温度低下を抑制することができる。
【００１８】
本形態のブローバイガス還流装置１１では、オイルセパレータ１４を第２ウォータジャケット７の壁面と一体に形成し、かつ調整弁１３をオイルセパレータカバー１４ｂに取付けているので、第２ウォータジャケット７内の冷却水の熱を第２ウォータジャケット７及びオイルセパレータ１４を介して調整弁１３に伝達させることができる。これにより、調整弁１３が凍結した場合でも早期に解凍させることができる。
【００１９】
本発明は上記の形態に限ることなく、種々の形態にて実施することができる。例えば、調整弁１３はオイルセパレータ本体１４ａ又は出口部９の壁面における外面側の領域に取付けてもよい。本発明は上記の内燃機関１に限らず、ブローバイガス流路１２の凍結を充分に解凍させることができる場合には、出口部９の流路断面積を第２ウォータジャケット７の流路断面積よりも小さく形成した内燃機関１に適用してもよい。また、シリンダブロック５に第１ウォータジャケット６と第２ウォータジャケット７とを連通させる連通路を形成し、入口部８から第１ウォータジャケット６、第２ウォータジャケット７、出口部９の順に冷却水を流通させるバイパス流路をさらに有した冷却水流路３を備えた内燃機関１でも本発明を適用することができる。
【図面の簡単な説明】
【００２０】
【図１】本発明の一形態に係るブローバイガス還流装置が適用される内燃機関の外観を示す図。
【図２】図１の上面図。
【図３】図１の正面図。
【符号の説明】
【００２１】
１  内燃機関
２  機関本体
３  冷却水流路
５  シリンダブロック
６  第１ウォータジャケット
７  第２ウォータジャケット
８  入口部
９  出口部
１１  ブローバイガス還流装置
１２  ブローバイガス流路
１３  調整弁
１４ａ  オイルセパレータ本体
１４ｂ  オイルセパレータカバー
【図１】
2009209871.tif 000003
【図２】
2009209871.tif 000004
【図３】
2009209871.tif 000005